(57)【要約】【課題】蛍光管やその他電気機器のコネクタ等の取り付けが容易であり、振動や衝撃に対して確実且つ安定に装着部材を保持可能な電気機器用ソケットを提供する。【解決手段】電気機器に取り付けられる蛍光管３６等が装着されるハウジング４０と、ハウジング４０に形成され蛍光管３６を嵌合させて保持する蛍光管保持部４２を有する。蛍光管保持部４２と一体に設けられ、蛍光管３６の端子３８と接続する端子接続部４４を有する。蛍光管保持部４２の開口部周縁にフランジ部４１，４３が形成され、フランジ部４１，４３に沿って切り欠き部４５を備える。蛍光管保持部４２に取り付けられ、切り欠き部４５に嵌合して蛍光管保持部４２の内壁から一部が露出したゴムリング４７を有する。【選択図】図１
2008311194.tif 000002
【特許請求の範囲】
【請求項１】
電気機器に取り付けられ装着部材との間で電気接続を行う電気機器用ソケットにおいて、前記装着部材が装着されるハウジングと、このハウジングに形成され前記装着部材を嵌合させて保持する保持部と、前記保持部と一体に設けられ前記装着部材の接点と接続する電気的接続部と、前記保持部の側壁に形成された切り欠き部と、前記保持部に取り付けられ前記切り欠き部に嵌合して前記保持部の内壁から、全周の長さ方向に対して一部が露出したゴムリングから成ることを特徴とする電気機器用ソケット。
【請求項２】
前記保持部は円筒状に形成され、前記保持部の開口部周縁にフランジ部が形成され、このフランジ部に沿って前記切り欠き部が形成された請求項１記載の電気機器用ソケット。
【請求項３】
前記切り欠き部は、前記フランジ部に沿って前記保持部に等間隔で３箇所に形成された請求項２記載の電気機器用ソケット。
【発明の詳細な説明】
【技術分野】
【０００１】
この発明は、液晶表示装置に使用される蛍光管やその他電気機器のコネクタ等の端子が着脱自在に装着される電気機器用ソケットに関する。
【背景技術】
【０００２】
従来、図５、図６に示すように、例えば蛍光灯２の端子４が接続されるソケット６は、蛍光灯２の端子４の端部が接触する板バネ状の接触バネ８が内部に設けられ、接触バネ８の基端部にリード線１０がハンダ付けされている。接触バネ８は、２段の階段状に屈曲した形状に形成され、背面側に一体的に同形状のバネ板１２が張り合わされた２層構造に形成されている。ソケット６は、接触バネ８を収容したハウジング１４と、ハウジング１４の開口部に突没自在に設けられた可動キャップ１６を備え、ハウジング１４の背面には、カバー１８が取り付けられている。可動キャップ１６は、可働キャップ１６に設けられたガイド突起２０に嵌合したコイルバネ２２により、突出方向に付勢されている。
【０００３】
ソケット６は、照明装置のシャーシ２４等に固定され、一対のソケット６間に蛍光灯２が装着される。蛍光灯２の装着方法は、まず一方のソケット６の可動キャップ１６の端子孔１６ａに蛍光灯２の端子４を挿入し、接触バネ８の弾性に抗して押し込む。さらに可動キャップ１６をコイルバネ２２に抗して押し、他方の端子４が可動キャップ１６の端子孔１６ａに対面可能にする。この状態で、他方の端子４を可動キャップ１６の端子孔１６ａに挿入し、接触バネ８の弾性に抗して端子１４を中に差し込む。さらに、先に蛍光灯２を押し込んでいた力を徐々に弱めて離すと、蛍光灯２が各ソケット６の可動キャップ１６及び接触バネ８により圧縮状態で付勢されて保持される。
【０００４】
また、特許文献１に開示されているように、ソケットの防水性を確保するために、ソケット内にＯリング等の防水パッキンを設けた照明装置のソケットも提案されている。
【特許文献１】特開２００１−５２８３０号公報
【発明の開示】
【発明が解決しようとする課題】
【０００５】
上記従来の蛍光灯２のソケットの場合、蛍光灯２を両端のソケット６により、接触バネ８及び可動キャップ１６のコイルバネ２２の弾性反発力により挟んで保持しているだけである。従って、外部からの振動や衝撃により電気的接続が瞬間的に断たれたり、端子やガラス管の破損の恐れがあった。特に、蛍光管２の長手方向の振動に対して、抜け落ちの恐れもあった。
【０００６】
また、上記特許文献１は、防水性を確保するためにＯリング等の防水パッキンを設けたもので、振動や衝撃によるソケットからの蛍光管の抜けや破損に対する対策は開示されていない。また、防水性を得るために、防水パッキン全周が蛍光灯に密接する必要があり、装着しにくいものである。
【０００７】
この発明は、上記背景技術に鑑みて成されたもので、蛍光管やその他電気機器のコネクタ等の取り付けが容易であり、振動や衝撃に対して確実且つ安定に装着部材を保持可能な電気機器用ソケットを提供することを目的とする。
【課題を解決するための手段】
【０００８】
この発明は、電気機器に取り付けられ蛍光管やコネクタのプラグ等の装着部材との間で電気接続を行う電気機器用ソケットであって、前記装着部材が装着されるハウジングと、このハウジングに形成され前記装着部材を嵌合させて保持する保持部と、前記保持部と一体に設けられ前記装着部材の接点と接続する電気的接続部と、前記保持部の側壁に形成された切り欠き部と、前記保持部に取り付けられ前記切り欠き部に嵌合して前記保持部の内壁から、全周の長さ方向に対して一部が露出したゴムリングから成る電気機器用ソケットである。
【０００９】
前記保持部は円筒状に形成され、前記保持部の開口部周縁にフランジ部が形成され、このフランジ部に沿って前記切り欠き部が形成されている。
【００１０】
前記切り欠き部は、前記フランジ部に沿って前記保持部に等間隔で３箇所に形成されたものである。
【発明の効果】
【００１１】
この発明の電気機器用ソケットによれば、外部からの振動や衝撃に対して、装着部材の電気的接続が瞬間的に断絶したり、装着部材を破損したりすることがなく、安定に保持することができる。さらに、長手方向の振動に対して電気的接続が離れることがなく、電気的信頼性も高いものとなる。
【００１２】
また、装着部材の周面を３点支持することにより、より安定に確実に保持することができ、衝撃にも強い構造とすることができる。
【発明を実施するための最良の形態】
【００１３】
以下、この発明の電気機器用ソケットの一実施形態について、図１〜図４を基にして説明する。この実施形態の電機器用ソケットは、装着部材である蛍光管に用いる蛍光管ソケット３０であり、液晶表示装置や照明器具等の電気機器に取り付けられるものである。蛍光管ソケット３０は、樹脂により一体成型され、蛍光管３６を保持するハウジング４０を備え、このハウジング４０は、蛍光管３６の口金３７の外径よりも僅かに大きい内径の円筒状の保持部である蛍光管保持部４２と、蛍光管３６の端子３８が挿入される電気的接続部である端子接続部４４が一体に形成されている。
【００１４】
蛍光管保持部４２は、蛍光管３６の口金３７が嵌合する大径部４２ａと、大径部４２ａの底部から一体に形成された略長円状の浅い凹部である長円部４２ｂから成る。長円部４２ｂは、口金３７の外形の一部を互いに平行な面で一部切除した形状である略長円状に形成され、口金３７から突出し互いに平行な平面部を有して端子３８が突出した端子突出部３７ａがちょうど嵌合する略長円状の凹部に形成されている。
【００１５】
蛍光管保持部４２の開口部周縁には、全周に所定間隔を空けて２本のフランジ部４１，４３が形成されている。フランジ部４１，４３間は溝状に形成され、この溝底部に等間隔で３箇所に一定幅で蛍光管保持部４２を貫通した切り欠き部４５が形成されている。切り欠き部４５の長さは、切り欠き部４５間の長さよりも僅かに長い程度に形成されている。フランジ部４１，４３間の溝には、その溝幅程度の太さのＯリング等のゴムリング４７が嵌合している。ゴムリング４７は、切り欠き部４５から大径部４２ａの内周面に、全周の長さ方向に対して切り欠き部４５の長さ分だけ部分的に露出し、大径部４２ａの円弧に対して直線状に弦を形成するように位置している。
【００１６】
端子接続部４４は、蛍光管保持部４２の底部の長円部４２ｂから一体に成型されて突出したもので、中空の略半円筒状に形成され、蛍光管保持部４２の中央部から２本の端子挿通筒４４ａが一体に形成されている。端子挿通筒４４ａは、各々略五角柱状に形成され、各々五角柱状に折り曲げられた筒状のクリップ端子４６が挿通されている。さらに、端子挿通筒４４ａには、クリップ端子４６のストッパ片４６ａが係合する凹部である係合部４４ｂが形成され、クリップ端子４６が挿入方向に抜けないように保持する。
【００１７】
クリップ端子４６は、一体に圧着部４６ｂが延出し、端子挿通孔４４ａから直角に折り曲げられて延出する。そして、圧着部４６ｂには、外部の電源に接続されたリード線４８が接続されている。
【００１８】
端子接続部４４には、端子挿通筒４４ａや圧着部４６ａを覆うように樹脂製のカバー５０が嵌合される。カバー５０は、半円筒状に形成され、圧着部４６ａの背面側と端子接続部４４の四方の側面のうちの三方を覆い、リード線４８が挿通される部分の側面が開口している。カバー５０は、端子接続部４４に設けられた図示しない爪に側面の凹部を嵌合させて固定される。
【００１９】
次に、この実施形態の蛍光管ソケット３０の使用方法について説明する。まず、ハウジング４０の一対の端子挿通筒４４ａ内に、リード線４８を接続したクリップ端子４６を挿入する。クリップ端子４６は、ストッパ片４６ａが端子挿通筒４４ａ内の係合部４４ｂに係合して保持される。そして、端子接続部４４の後端部側方から、リード線４８を延出させ、カバー５０を端子接続部４４に被せて蛍光管ソケット３０の組み立てが完成する。
【００２０】
蛍光管３６を電気機器に取り付ける際には、まず蛍光管３６の両端の端子３８に蛍光管ソケット３０を各々嵌合する。この時、蛍光管３６の口金３７により、ゴムリング４７を広げながら挿入する。ゴムリング４７は、フランジ部４１，４３により保持されているので、口金３７の挿入により位置がずれることはない。そして、蛍光管３６の両端に蛍光管ソケット３０を装着した状態で、電気機器に蛍光管３０を取り付ける。
【００２１】
この実施形態の蛍光管ソケット３０によれば、蛍光管３６を保持した蛍光管ソケット３０は、蛍光管３６の口金３７がゴムリング４７を押し広げて挿入されたことによるゴムリング４７と口金３７表面との摩擦力により、確実に蛍光管３６の口金３７に蛍光管ソケット３０が保持される。これにより、振動や衝撃に対して蛍光管３６に対する蛍光管ソケット３０の位置がずれたり、破損したりすることがない。また、蛍光管３６の端子３８は、蛍光管ソケット３０のクリップ端子４６に挿通されて保持され、電気的に接続しているので、ゴムリング４７による保持と相まって、振動や衝撃による瞬断が発生する恐れはないものである。また、ゴムリング４７は、口金３７の周囲を３箇所で保持しているため、安定に確実に保持するものである。
【００２２】
また、筒状のハウジング４０により蛍光管３６の口金３７を保持しているので、従来の蛍光管ソケットのように端子３８に大きな負荷がかかることがない。さらに、従来の蛍光管ソケットのようにバネで蛍光管を保持しているものではなく、位置決め精度も要求されず、組み立ても自由に行うことができる。その他、蛍光管３６の使用による熱膨張や収縮に対しても、蛍光管ソケット３０がシャーシ３２に固定されているものではないので、影響はないものである。さらに、組み立てが容易であり、コストも安価なものとなる。
【００２３】
なお、この発明の電気機器用ソケットは、上記実施形態に限定されるものではなく、蛍光管以外に、電気機器のコネクタのソケットや、その他の電気機器のソケットに利用可能なものである。
【図面の簡単な説明】
【００２４】
【図１】この発明の一実施形態の蛍光管ソケットの蛍光管取付状態を示す縦断面図である。
【図２】この実施形態の蛍光管ソケットの平面図（ａ）と、正面図（ｂ）である。
【図３】図２のＡ−Ａ断面図である。
【図４】この実施形態の蛍光管ソケットを示す斜視図である。
【図５】従来の蛍光灯のソケットの縦断面図である。
【図６】従来の蛍光灯のソケットの取り付け状態の縦断面図である。
【符号の説明】
【００２５】
３０  蛍光管ソケット
３６  蛍光管
３７  口金
３８  端子
４０  ハウジング
４１，４３  フランジ部
４２  蛍光管保持部
４２ａ  大径部
４４  端子接続部
４５  切り欠き部
４６  クリップ端子
４７  ゴムリング
【図１】
2008311194.tif 000003
【図２】
2008311194.tif 000004
【図３】
2008311194.tif 000005
【図４】
2008311194.tif 000006
【図５】
2008311194.tif 000007
【図６】
2008311194.tif 000008